(57)【要約】【課題】パッチワークのキルティング作業をする際、ダイニングテーブル等にフープを設置し、角度の調節や回転を可能にし、製作者の労力を軽減し、コンパクトに収納できるフープ台を提供する。【解決手段】 テーブルの天板の厚みに応じたテーブル支持板（１０）を二枚平行に、中間板（１１）及び垂直板（１２）に固定し、さらに垂直板に２枚の角度調節ブロック設置板（１３）を固定し、その間に角度調節ブロック（１４）を１００ｍｍの六角ボルト（４０）を使用し取り付け、角度調節ブロック（１４）にフープ（２０）を取り付けフープの角度調節、回転を可能にする。フープ（２０）を角度調節ブロック（１４）に接続する方法としてはフープにフープ保持材（３０）に２本の垂直材（３１）と水平材（３２）を組み合わせ、水平材を７０ｍｍの六角ボルト（４２）を使用して取り付ける事により構成する。【選択図】図１
0003157288.tif 000002
【実用新案登録請求の範囲】
【請求項１】
パッチワークのキルティングを行う際にダイニングテーブル等テーブル状の台にフープを保持し、前後左右に角度調節を可能にするフープ台であって、テーブル支持板（１０）をテーブルの天板に挟み込み、台座を固定することなく、天板を挟み込む事によって台座とフープの自重によって保持し、垂直板（１２）を介して角度調節ブロック（１４）に接続しフープの角度調節、回転を可能にする。テーブルの天板の厚みに応じたテーブル支持板（１０）を二枚平行に、中間板（１１）を強度を保持するためH型に固定し、H型を維持するため、終端を垂直板（１２）によって固定する。さらに垂直板に２枚の角度調節ブロック設置板（１３）を固定し、その間に角度調節ブロック（１４）を１００ｍｍの六角ボルト（４０）を使用し取り付け、角度調節ブロック（１４）にフープ（２０）を取り付ける。フープ（２０）を角度調節ブロック（１４）に接続する方法としてはフープにフープ保持材（３０）に２本の垂直材（３１）と水平材（３２）を組み合わせ、水平材を７０ｍｍの六角ボルト（４２）を使用して取り付ける事により構成するパッチワーク用キルティング台。
【請求項２】
パッチワークのキルティングを行う際にダイニングテーブル等テーブル状の台にフープを保持し、前後左右に角度調節を可能にするフープ台であって、テーブル支持板（１０）をテーブルの天板に挟み込み、台座を固定することなく、天板を挟み込む事によって台座とフープの自重によって保持し、垂直板（１２）を介して角度調節ブロック（１４）に接続しフープの角度調節、回転を可能にする。テーブルの天板の厚みに応じたテーブル支持板（１０）を二枚平行に、中間板（１１）を強度を保持するためH型に固定し、H型を維持するため、終端を垂直板（１２）によって固定する。さらに垂直板に２枚の角度調節ブロック設置板（１３）を固定し、その間に角度調節ブロック（１４）を１００ｍｍの六角ボルト（４０）を使用し取り付け、角度調節ブロックにフープ（２０）を取り付ける。フープ（２０）を角度調節ブロック（１４）に接続する方法としてはフープにフープ保持材（３０）に２本の垂直材（３１）と水平材（３２）を組み合わせ、水平材を７０ｍｍの六角ボルト（４２）を使用して取り付ける事により構成し、製作者の体型によりフープの高さを２ｃｍ程度微調整できる機能を有し、台座を固定しないため、設置を簡易化し、またフープと台座を分離しコンパクトに収納可能なパッチワーク用キルティング台。
【考案の詳細な説明】
【技術分野】
【０００１】
本考案は、パッチワークのキルティングを行う際にダイニングテーブル等テーブル状の台にフープを保持し、前後左右に角度調節を可能にするパッチワーク用のキルティング台に関するものである。
【背景技術】
【０００２】
パッチワークを終えた布を重ね合わせ、重ね合わせた布の間に中綿を入れキルティング作業を行う。その際用いるフープは、内枠と外枠から構成され、外枠は締め具合を調節する機能を有している。そして、枠に布を張った後、例えばテーブルを使った作業であればテーブルと自身の腹部でフープを挟み込んで保持し作業する。
【０００３】
しかし、テーブルとフープを自身の腹部に押し当てて保持するという行為はテーブルの端部が滑りやすかったり、また固定しにくい形状であったりするため安定した状態を維持するためにはその技術に対する慣れが必要で、またキルティング作業は長時間に及ぶためフープを安定した状態に保つことは大変な労力を必要とする。そのため作業用具を用いる場合もある。
【先行技術文献】
【特許文献】
【０００４】
【特許文献１】実用新案登録第３１１０９６８号
【特許文献２】実用新案登録第３１１５４６７号
【考案の開示】
【考案が解決しようとする課題】
【０００５】
本考案は、これらの事情からなされたもので、キルティング作業の際にテーブルを使って行うことが一般的であり、そのテーブルを使いフープを安定した状態に保持し、さらにキルティング作業をしやすくするためにフープの角度調節や回転を可能にし、フープの位置を前後、左右とも無段階に任意の位置で固定し、キルティング作業を容易にすることを可能にするパッチワーク用のキルティング台を提供することを課題とする。
【課題を解決するための手段】
【０００６】
請求項１における考察は、パッチワークのキルティングを行う際にダイニングテーブル等テーブル状の台にフープを保持し、前後左右に角度調節を可能にするフープ台であって、テーブル支持板（１０）をテーブルの天板に挟み込み、台座を固定することなく、天板を挟み込む事によって台座とフープの自重によって保持し、垂直板（１２）を介して角度調節ブロック（１４）に接続しフープの角度調節、回転を可能にする事を特徴とし、テーブルの天板の厚みに応じたテーブル支持板（１０）を二枚平行に、中間板（１１）を強度を保持するためH型に固定し、H型を維持するため、終端を垂直板（１２）によって固定する。さらに垂直板に２枚の角度調節ブロック設置板（１３）を固定し、その間に角度調節ブロック（１４）を１００ｍｍの六角ボルト（４０）を使用し取り付け、角度調節ブロックにフープ（２０）を取り付ける。フープ（２０）を角度調節ブロック（１４）に接続する方法としてはフープにフープ保持材（３０）に２本の垂直材（３１）と水平材（３２）を組み合わせ、水平材を７０ｍｍの六角ボルト（４２）を使用して取り付ける事により構成されるものである。
【０００７】
請求項２における考察は、パッチワークのキルティングを行う際にダイニングテーブル等テーブル状の台にフープを保持し、前後左右に角度調節を可能にするフープ台であって、テーブル支持板（１０）をテーブルの天板に挟み込み、台座を固定することなく、天板を挟み込む事によって台座とフープの自重によって保持し、垂直板（１２）を介して角度調節ブロック（１４）に接続しフープの角度調節、回転を可能にする事を特徴とし、テーブルの天板の厚みに応じたテーブル支持板（１０）を二枚平行に、中間板（１１）を強度を保持するためH型に固定し、H型を維持するため、終端を垂直板（１２）によって固定する。さらに垂直板に２枚の角度調節ブロック設置板（１３）を固定し、その間に角度調節ブロック（１４）を１００ｍｍの六角ボルト（４０）を使用し取り付け、角度調節ブロックにフープ（２０）を取り付ける。フープ（２０）を角度調節ブロック（１４）に接続する方法としてはフープにフープ保持材（３０）に２本の垂直材（３１）と水平材（３２）を組み合わせ、水平材を７０ｍｍの六角ボルト（４２）を使用して取り付ける事により構成され、製作者の体型によりフープの高さを２ｃｍ程度微調整できる機能を有し、台座を固定しないため、設置を簡易化し、またフープと台座を分離しコンパクトに収納可能なパッチワーク用キルティング台。
【考案の効果】
【０００８】
請求項１に記載のパッチワーク用キルティング台は、テーブル支持板（１０）をテーブルの天板に挟み込み、台座を固定することなく、天板を挟み込む事によって台座とフープの自重によって保持し、垂直板（１２）を介して角度調節機構に接続することによりフープを水平・垂直両方向に傾けることが可能になり、またフープの回転も自在になる。また角度調節機能やフープの回転も共に可動範囲が大きく、もっとも作業しやすいポジションを見つける事を可能にする。その結果としてフープを用いてキルティング作業する際に、フープをテーブル等に安定した状態に保持することができ、キルティング作業が容易になる。
【０００９】
請求項２に記載のパッチワーク用キルティング台は、製作者の体型によりフープの高さを２ｃｍ程度微調整できる機能を有し作業しやすい姿勢を得ることが容易になる。その結果としてフープを用いてキルティング作業する際に、キルティング作業がさらに容易になる。
【００１０】
それに加えて、パッチワーク用キルティング台の台座をテーブルに固定する必要がないため、設置を簡易化し、またフープと台座を分離しコンパクトに収納することも可能にしている。
【考案を実施するための最良の形態】
【００１１】
本考案に係るパッチワーク用キルティング台の実施形態を、図１から図５に示す。図１はパッチワーク用キルティング台の斜視図、図２はパッチワーク用キルティング台の右側面図、図３はパッチワーク用キルティング台の左側面図、図４はパッチワーク用キルティング台の正面図、図５はパッチワーク用キルティング台の平面図である。パッチワークのキルティングを行う際、フープをテーブル等に安定した状態に保持するために使用するパッチワーク用キルティング台であり、テーブルの天板の厚みに応じた２枚のテーブル支持板（１０）、中間板（１１）、垂直板（１２）、２枚の角度調節ブロック設置板（１３）、角度調節ブロック（１４）、フープ（２０）、蝶ネジ（２３）、ナット部材（２４）、フープ保持材（３０）、２本の垂直材（３１）、水平材（３２）で構成される。
【００１２】
パッチワーク用キルティング台は、テーブル支持板（１０）を二枚平行に、中間板（１１）をH型に固定し、H型を維持するため、終端を垂直板（１２）によって固定する。さらに垂直板に２枚の角度調節ブロック設置板（１３）を固定し、その間に角度調節ブロック（１４）を１００ｍｍの六角ボルト（４０）を使用し取り付け、角度調節ブロックにフープ（２０）を取り付ける。
【００１３】
角度調節ブロック（１４）は、２片の直方体をナットと１００ｍｍの六角ボルト（４１）を使用して組み合わせ、任意の角度でナットを締め付けることにより固定する。
【００１４】
フープ（２０）は、内枠（２２）と、外周面に着脱自在に嵌着する外枠（２１）とで形成している。なお、外枠（２１）は、一部に切離部を有し、その切離部を蝶ネジ（２３）とナット部材（２４）で接合している。すなわち、蝶ネジ（２３）の締め具合によって径が調節できるようになっている。
【００１５】
フープ（２０）を角度調節ブロック（１４）に接続する方法としてはフープにフープ保持材（３０）に２本の垂直材（３１）と水平材（３２）を組み合わせ、水平材を７０ｍｍの六角ボルト（４２）を使用して取り付ける。
【００１６】
パッチワーク用キルティング台を用いてキルティング作業を行う際は、角度調節機能を使いフープを水平、あるいは垂直両方向に自在に傾け、またフープの回転も自在で、かつ可動範囲が大きいという特徴を生かし、もっとも作業しやすいポジションを見つけながら作業を進める事ができる。
【００１７】
またパッチワーク用キルティング台を用いてキルティング作業を行う際は、体型によってフープの高さを調節したい場面も多々ある。その際に角度調節ブロックを１８０度回転させることによって約２ｃｍの高さの微調整が可能である。それと併用するかたちでテーブル支持板とテーブルの天板の間に空間がある場合にはその空間に雑誌等を挟み込み、天板の厚みを調節することによってフープの高さを微調整することも可能である。
【００１８】
なお、前記実施形態においては台座の材質を特定していないが、木製に限らず合成樹脂材料で成型してもよい。また、数種類のパーツの組み合わせによる成型であるが、合成樹脂材料等による一体成型でもよい。
【図面の簡単な説明】
【００１９】
【図１】本考案に係るパッチワーク用キルティング台の実施形態を示す斜視図である。
【図２】図１に示すパッチワーク用キルティング台の右側面図である。
【図３】図１に示すパッチワーク用キルティング台の左側面図である。
【図４】図１に示すパッチワーク用キルティング台の正面図である。
【図５】図１に示すパッチワーク用キルティング台の平面図である。
【符号の説明】
【００２０】
１０  テーブル支持板
１１  中間板
１２  垂直板
１３  角度調節ブロック設置板
１４  角度調節ブロック 水平片
２０  フープ
２１  外枠
２２  内枠
２３  蝶ネジ
２４  ナット部材
３０  フープ保持材
３１  垂直材
３２  水平材
４０  １００ｍｍの六角ボルト
４１  １００ｍｍの六角ボルト
４２  ７０ｍｍの六角ボルト
【図１】
0003157288.tif 000003
【図２】
0003157288.tif 000004
【図３】
0003157288.tif 000005
【図４】
0003157288.tif 000006
【図５】
0003157288.tif 000007
【手続補正書】
【提出日】平成21年5月19日(2009.5.19)
【手続補正１】
【補正対象書類名】実用新案登録請求の範囲
【補正対象項目名】全文
【補正方法】変更
【補正の内容】
【実用新案登録請求の範囲】
【請求項１】
パッチワークのキルティングを行う際にダイニングテーブル等テーブル状の台にフープを保持し、前後左右に角度調節を可能にするフープ台であって、テーブル支持板（１０）をテーブルの天板に挟み込み、台座を固定することなく、天板を挟み込む事によって台座とフープの自重によって保持し、垂直板（１２）を介して角度調節ブロック（１４）に接続しフープの角度調節、回転を可能にし、テーブルの天板の厚みに応じたテーブル支持板（１０）を二枚平行に、中間板（１１）を強度を保持するためH型に固定し、H型を維持するため、終端を垂直板（１２）によって固定し、さらに垂直板に２枚の角度調節ブロック設置板（１３）を固定し、その間に角度調節ブロック（１４）を１００ｍｍの六角ボルト（４０）を使用し取り付け、角度調節ブロック（１４）にフープ（２０）を取り付け、フープ（２０）を角度調節ブロック（１４）に接続する方法としてはフープにフープ保持材（３０）に２本の垂直材（３１）と水平材（３２）を組み合わせ、水平材を７０ｍｍの六角ボルトを使用して取り付ける事により構成するパッチワーク用キルティング台。
【請求項２】
パッチワークのキルティングを行う際にダイニングテーブル等テーブル状の台にフープを保持し、前後左右に角度調節を可能にするフープ台であって、テーブル支持板（１０）をテーブルの天板に挟み込み、台座を固定することなく、天板を挟み込む事によって台座とフープの自重によって保持し、垂直板（１２）を介して角度調節ブロック（１４）に接続しフープの角度調節、回転を可能にし、テーブルの天板の厚みに応じたテーブル支持板（１０）を二枚平行に、中間板（１１）を強度を保持するためH型に固定し、H型を維持するため、終端を垂直板（１２）によって固定し、さらに垂直板に２枚の角度調節ブロック設置板（１３）を固定し、その間に角度調節ブロック（１４）を１００ｍｍの六角ボルト（４０）を使用し取り付け、角度調節ブロックにフープ（２０）を取り付け、フープ（２０）を角度調節ブロック（１４）に接続する方法としてはフープにフープ保持材（３０）に２本の垂直材（３１）と水平材（３２）を組み合わせ、水平材を７０ｍｍの六角ボルト（４２）を使用して取り付ける事により構成し、製作者の体型によりフープの高さを２ｃｍ程度微調整できる機能を有し、台座を固定しないため、設置を簡易化し、またフープと台座を分離しコンパクトに収納可能なパッチワーク用キルティング台。